(57)【特許請求の範囲】
【請求項１】
水平な折畳み軸芯Ｘ周りで揺動自在に連結された左右一対の分割枠体２Ａ，２Ｂを備えた物干し枠体Ａの数箇所に設けた被吊下げ部５と吊下げフックＢとに亘って吊下げ連結体Ｃが設けられ、前記吊下げフックＢが、物干し竿に掛止可能な主フック部１１と、該主フック部１１とは掛止方向が逆向きとなる鴨居等に掛止可能な副フック部１２とから構成されているとともに、前記物干し枠体Ａを水平又はほぼ水平に維持したまま、吊下げフックＢが前記物干し枠体Ａの中心上に位置する第１吊下げ状態とそれよりも横方向に偏位した部位に位置する第２吊下げ状態とに変更できるように、被吊下げ部５と吊下げフックＢとの間の吊下げ連結長さを変更する連結長さ変更手段Ｍが設けられている物干し器であって、
前記物干し枠体Ａの分割枠体２Ａ，２Ｂが、水平方向に沿って一直線状に展開した吊下げ姿勢と、一方の分割枠体２Ａを折畳み軸芯Ｘ周りで分割枠体２Ａの下面方向にほぼ９０度折り曲げた直角姿勢と、両分割枠体２Ａ，２Ｂの下面どうしが接当又は近接する状態にまで折畳み軸芯Ｘ周りで折り曲げた折畳み姿勢とに切替操作自在に構成されているとともに、前記物干し枠体Ａには、前記吊下げ姿勢で吊下げフックＢが第２吊下げ状態にあるとき、固定部Ｆと物干し枠体Ａの外側面との間に空隙Ｓを形成する当り部４が設けられ、第２吊下げ状態にある吊下げフックＢの副フック部１２が、当り部４の突出代に相当する分だけ物干し枠体Ａの外側面を通る鉛直線Ｗよりも固定部Ｆ側に位置するように構成され、さらに、前記物干し枠体Ａを直角姿勢に切替操作したとき、下面方向に折り曲げられた一方の分割枠体２Ａを介して水平方向に沿う他方の分割枠体２Ｂと固定部Ｆとの間に枠体形成隙Ｓ１が形成されている物干し器。
【請求項２】
前記両分割枠体２Ａ，２Ｂを直角姿勢で固定並びに固定解除操作自在な直角姿勢維持手段が設けられている請求項１記載の物干し器。
【請求項３】
前記物干し枠体Ａの外側面からの当り部４の突出代が変更可能に構成されている請求項１又は請求項２記載の物干し器。
【請求項４】
前記直角姿勢維持手段が、両分割枠体２Ａ、２Ｂの外枠部２ａの長辺側外面の一方に係止ピン９ｂを設け、他方の外枠部２ａの長辺側外面には、両分割枠体２Ａ，２Ｂが直角姿勢にあるときのみ前記係止ピン９ｂに係合可能な揺動係止杆８と、係合解除操作された揺動係止杆８を外枠部２ａの長辺側外面にそった格納姿勢で係合保持する係止ピン９ａとを設けて構成されている請求項２記載の物干し器。
【発明の詳細な説明】
【０００１】
【発明の属する技術分野】
本発明は、洗濯物等の干し物を脱着自在に吊下げ支持する物干し枠体と、吊下げ竿や鴨居等に掛止可能な吊下げフック、及び、物干し枠体の複数箇所に設けた被吊下げ部と吊下げフックとに亘って設けられる吊下げ連結体とからなる物干し器に関する。
【０００２】
【従来の技術】
従来の物干し器では、矩形状の物干し枠体の短辺方向中央位置に設けた二つのリング状の被吊下げ部と、これに対向する状態で吊下げフックの基端部の円周方向二個所に形成した吊下げ係止部とに亘って、吊下げ連結体を構成する二本の第１チェーンを架設すると共に、物干し枠体の長辺方向中央位置に設けた二つのリング状の被吊下げ部と、これに対向する状態で吊下げフックの基端部に貫通形成された吊下げ挿通孔とに亘って、吊下げ連結体を構成する一本の第２チェーンを架設して、吊下げフックの基端部の吊下げ挿通孔に対する第２チェーンの相対移動操作により、物干し枠体を水平又はほぼ水平に維持したまま、吊下げフックが物干し器の中心上に位置する第１吊下げ状態とそれよりも横方向に偏位した部位に位置する第２吊下げ状態とに変更するための連結長さ変更手段が構成されている。
更に、第２吊下げ状態ある吊下げフックが、物干し枠体の外側面を通る鉛直線上に位置するように構成されているとともに、吊下げフックの吊下げ挿通孔が、第１吊下げ位置と第２吊下げ位置において吊下げフックが位置ずれするのを防止するために、交差状に連なっている第２チェーンの一方のチェーンリングを通過させ、他方のチェーンリングを阻止することが可能な十字形状に形成されていた（例えば、特開平１１−３３３１９６号公報参照）。
【０００３】
【発明が解決しようとする課題】
従来の物干し器では、連結長さ変更手段の操作によって、吊下げフックが物干し器の中心上に位置する第１吊下げ状態とそれよりも横方向に偏位した部位に位置する第２吊下げ状態とに変更することができるから、天気や日照時間等の物干し条件に応じて、屋外の物干し竿に掛止する吊下げ形態と鴨居に掛止する吊下げ形態とに自由に選択することができると共に、その何れの吊下げ形態においても、物干し枠体が水平又はほぼ水平に維持されているので、物干し枠体に吊下げ支持された複数の干し物の隣接間隔が狭くなったり、或いは、干し物同士が接触することを抑制することができる。
【０００４】
しかしながら、第２吊下げ状態ある吊下げフックが、物干し枠体の外側面を通る鉛直線上に位置するように構成されているため、この第２吊下げ状態ある吊下げフックが掛止される直下位置に壁面等の固定部が存在する場合では、固定部に物干し枠体の外側面が接触するため、物干し枠体に吊下げ支持された複数の干し物の一部が固定部に接触して汚れや着色等を招来する可能性がある。
【０００５】
また、吊下げフックを物干し竿に掛止する第１吊下げ位置から鴨居等に掛止する第２吊下げ位置に変更する場合、吊下げフックを片手で吊下げ支持したまま、物干し枠体等の荷重に抗して第２チェーンを持ち上げ、吊下げフックの基部に形成された十字形状の吊下げ挿通孔のうち、縦方向の孔部分に縦姿勢のチェーンリングを位置合わせして通過させ、次に、横方向の孔部分に横姿勢のチェーンリングを位置合わせして通過させるといった煩雑な操作手順を繰返す必要がある。
【０００６】
しかも、チェーンの移動操作途中においても、交差状態にある両チェーンリングが連結箇所の融通範囲内で自由に相対移動するため、後続のチェーンリングが吊下げ挿通孔の周縁に引っ掛り易く、その結果、吊下げフックの第２吊下げ位置又は第２吊下げ位置への変更作業に多くの手間を要していた。
【０００７】
特に、吊下げフックを鴨居に掛けるときは、屋外に乾していた干し物を降雨によって室内に取り込む必要が生じた場合が多く、この場合、多数の干し物の荷重に抗してチェーンを移動操作する必要があるため、吊下げフックの吊下げ位置変更作業により手間取っていた。
【０００８】
本発明は、上述の実状に鑑みて為されたものであって、その主たる課題は、天気や日照時間等の物干し条件に応じて二種の吊下げ形態に自由に選択することができるものでありながら、第２吊下げ状態ある吊下げフックが掛止される直下位置に壁面等の固定部が存在する場合でも、物干し枠体に吊下げ支持された複数の干し物の一部が固定部に接触することを抑制しながら干すことのできる物干し器を提供する点にある。
【０００９】
【課題を解決するための手段】
本発明の請求項１による特徴構成は、水平な折畳み軸芯周りで揺動自在に連結された左右一対の分割枠体を備えた物干し枠体の数箇所に設けた被吊下げ部と吊下げフックとに亘って吊下げ連結体が設けられ、前記吊下げフックが、物干し竿に掛止可能な主フック部と、該主フック部とは掛止方向が逆向きとなる鴨居等に掛止可能な副フック部とから構成されているとともに、前記物干し枠体を水平又はほぼ水平に維持したまま、吊下げフックが前記物干し枠体の中心上に位置する第１吊下げ状態とそれよりも横方向に偏位した部位に位置する第２吊下げ状態とに変更できるように、被吊下げ部と吊下げフックとの間の吊下げ連結長さを変更する連結長さ変更手段が設けられている物干し器であって、
前記物干し枠体の分割枠体が、水平方向に沿って一直線状に展開した吊下げ姿勢と、一方の分割枠体を折畳み軸芯周りで分割枠体の下面方向にほぼ９０度折り曲げた直角姿勢と、両分割枠体の下面どうしが接当又は近接する状態にまで折畳み軸芯周りで折り曲げた折畳み姿勢とに切替操作自在に構成されているとともに、前記物干し枠体には、前記吊下げ姿勢で吊下げフックが第２吊下げ状態にあるとき、固定部と物干し枠体の外側面との間に空隙を形成する当り部が設けられ、第２吊下げ状態にある吊下げフックの副フック部が、当り部の突出代に相当する分だけ物干し枠体の外側面を通る鉛直線よりも固定部側に位置するように構成され、さらに、前記物干し枠体を直角姿勢に切替操作したとき、下面方向に折り曲げられた一方の分割枠体を介して水平方向に沿う他方の分割枠体と固定部との間に枠体形成隙が形成されている点にある。
上記特徴構成によれば、物干し器を鴨居等に掛止するときは、被吊下げ部と吊下げフックとに亘って設けられた吊下げ連結体の吊下げ連結長さを変更し、吊下げフックを物干し枠体の中心上にある第１吊下げ状態から、横方向に偏位した第２吊下げ状態に移動させることにより、物干し枠体は水平またはほぼ水平を維持したまま鴨居等に掛止することができる。しかも、この時、物干し枠体に設けられた当り部が、鴨居等の直下位置にある壁等の固定部に接当して、該固定部と物干し枠体の外側面との間に空隙を形成するとともに、第２吊下げ状態にある吊下げフックが、当り部の突出代に相当する分だけ物干し枠体の外側面を通る鉛直線よりも外方に位置するように構成されていることで、少なくとも干し物どうしの接触を減少させるだけでなく、同時に干し物と固定部との接触をも極力減少させることができる。
従って、従来の物干し器にあった、物干し枠体の水平を維持して干し物どうしの接触を減少させることにのみ重点をおいた構成のものに比べて、干し物どうしの接触だけでなく、固定部側に吊下げられた干し物と固定部との接触も減少させることができるので、干し物と固定部の相互の汚れ付着や着色を減少させることが可能となり、さらに、当り部によって形成された空隙により、固定部側に位置する干し物の空気に触れる表面積も確保されるから、通気性がより良くなり、洗濯物等の水分を含んだ干し物の乾燥も早くなる。
【００１０】
本発明の請求項２による物干し器の特徴構成は、前記両分割枠体を直角姿勢で固定並びに固定解除操作自在な直角姿勢維持手段が設けられている点にある。
【００１１】
本発明の請求項３による物干し器の特徴構成は、前記物干し枠体の外側面からの当り部の突出代が変更可能に構成されている点にある。
【００１２】
本発明の請求項４による物干し器の特徴構成は、前記直角姿勢維持手段が、両分割枠体の外枠部の長辺側外面の一方に係止ピンを設け、他方の外枠部の長辺側外面には、両分割枠体が直角姿勢にあるときのみ前記係止ピンに係合可能な揺動係止杆と、係合解除操作された揺動係止杆を外枠部の長辺側外面にそった格納姿勢で係合保持する係止ピンとを設けて構成されている点にある。
【００１３】
物干し器において、前記吊下げフックが、物干し竿に掛止可能な主フック部と、該主フック部とは掛止方向が逆向きとなる鴨居等に掛止可能な副フック部とから構成されているとともに、前記副フック部が、主フック部に対して掛止姿勢と格納姿勢とに揺動切替え自在に構成されていてもよい。
上記構成によれば、物干し竿の掛止に適した主フック部と鴨居等の掛止に適した副フック部とによって、便利に使い分けることができるものであり乍ら、主フック部に対して逆向き姿勢で突出する副フック部を格納姿勢に切り替えることができるから、主フック部に比較して使用頻度の少ない副フック部が邪魔になることを抑制できる。
【００１４】
【発明の実施の形態】
〔第１実施形態〕
図１〜９は、洗濯物等の干し物を脱着自在に吊下げ支持するための複数のピンチ１を備えた矩形状の物干し枠体Ａと、物干し竿や鴨居等に掛止可能な吊下げフックＢ、及び、物干し枠体Ａの複数箇所に設けた被吊下げ部５と吊下げフックＢとに亘って設けられる吊下げ連結体Ｃとからなる合成樹脂製の物干し器を示し、物干し枠体Ａを水平又はほぼ水平に維持したまま、吊下げフックＢが物干し器の中心位置を通る鉛直線上又はそれの近傍に位置する第１吊下げ状態とそれよりも横方向に偏位した部位に位置する第２吊下げ状態とに変更できるように、被吊下げ部５と吊下げフックＢとの間の吊下げ連結長さを変更する連結長さ変更手段Ｍが設けられている。
【００１５】
物干し枠体Ａは、長辺方向の中央位置で二分割された左右一対の分割枠体２Ａ，２Ｂから構成されていて、更に、各分割枠体２Ａ，２Ｂは、平面視ほぼコの字状で、かつ、横断面形状が下向きコの字状の外枠部２ａと、長辺方向にピンチ１の全長Ｌ１より大なる間隔Ｌ２を隔てて配置される横断面形状が下向きコの字状の複数本の横枠部２ｂと、横枠部２ｂどうし及び横枠部２ｂと外枠部２ａとを繋ぐ状態で短辺方向の両側近くに長辺方向に沿って配置される横断面形状が下向きコの字状の複数本の縦補強枠部２ｃとを合成樹脂にて一体成形して構成されている。
両分割枠体２Ａ，２Ｂの中央側端部どうしを、物干し枠体Ａの短辺方向に沿う水平な折畳み軸芯Ｘ周りで揺動自在に嵌合連結することにより、両分割枠体２Ａ，２Ｂが面一状態で水平方向に沿って一直線状に展開した吊下げ状態と、片方の分割枠体２Ａを、折畳み軸芯Ｘの周りで分割枠体２Ａの下面方向にほぼ９０度折り曲げた直角姿勢と、両分割枠体２Ａ，２Ｂの下面どうしが接当又は近接する状態にまで折畳み軸芯Ｘ周りで折り曲げた折畳み姿勢とに切替操作自在に構成されている。
【００１６】
物干し枠体Ａには、吊下げフックＢが第２吊下げ状態にあるとき、壁面等の固定部Ｆと物干し枠体Ａの外側面との間に干し物接触抑制用の空隙Ｓを形成する当り部４が設けられ、更に、第２吊下げ状態にある吊下げフックＢの副フック部１２が、当り部４の突出代に相当する分だけ物干し枠体Ａの外側面を通る鉛直線Ｗよりも外方である固定部側に位置するように構成されている。
【００１７】
また、両分割枠体２Ａ，２Ｂを直角姿勢で固定並びに固定解除操作自在な直角姿勢維持手段が設けられていて、これは、両分割枠体２Ａ、２Ｂの外枠部２ａの長辺側外面に、両分割枠体２Ａ，２Ｂが直角姿勢にあるときのみ係合可能な揺動係止杆８と係止ピン９ｂ、及び、係合解除操作された揺動係止杆８を一方の外枠部２ａの長辺側外面にそった格納姿勢で係合保持する係止ピン９ａとを設けて構成されているとともに、直角姿勢で固定した物干し枠体Ａを鴨居等に吊下げる時、図７に示すように、壁面等の固定部Ｆと物干し枠体Ａにおける水平方向に沿う他方の分割枠体２Ｂとの間に、下面方向に折り曲げられた一方の分割枠体２Ａが配置され、第２吊下げ状態で鴨居等に吊下げられた場合に当り部４によって形成される空隙Ｓの役目を果たす枠体形成隙Ｓ１を形成する。
【００１８】
また、前記物干し枠体Ａの短辺側部分の外側面には、前記吊下げフックＢの吊下げ位置よりも低い位置で物干し竿に掛止可能な左右一対の補助吊下げフック３が、上方に起立した吊下げ姿勢と物干し枠体Ａの外側面に沿ってほぼ９０度倒伏させた格納姿勢とに水平軸芯周りで揺動切替操作自在に枢着されている。
【００１９】
各分割枠体２Ａ，２Ｂの内部空間は、格子状に配設された複数の横枠部２ｂ及び複数の縦補強枠部２ｃにより、一つ又は複数のピンチ１が各分割枠体２Ａ，２Ｂに沿う同じ向き姿勢で入込み可能な複数の空隙２ｅに区画形成されているとともに、前記各外枠部２ａの両各部の内周面には、被吊下げ部５を構成する係止リングが一体形成されている。
【００２０】
前記両分割枠体２Ａ，２Ｂの各横枠部２ｂの複数箇所、及び、各外枠部２ａの短辺側部分の複数箇所の各々には、ピンチ１のＣ形状の挟持バネ１ａを揺動自在に支持する合成樹脂製のピンチ吊下げ部材６が、物干し枠体Ａの長辺方向にのみ揺動可能な状態で嵌合取付け部材７を介して物干し枠体Ａの下面側から装着されているとともに、前記各横枠部２ｂの折畳み軸芯Ｘ側に位置する側壁部分、及び、各外枠部２ａの短辺側部分における折畳み姿勢への切替操作に連れて、各分割枠体２Ａ，２Ｂに装着された各ピンチ１が同一の折畳み軸芯Ｘ側に揺動しながら各分割枠体内の空隙２ｅ内に入込むべく、各分割枠体２Ａ，２Ｂの各ピンチ吊下げ部材６の折畳み軸芯Ｘ側への倒れ込み揺動をほぼ９０度の範囲で許容するスリット状切込み２ｄが形成されている。
【００２１】
吊下げフックＢの上部は、物干し竿等に掛止可能な主フック部１１と、鴨居等に掛止可能で、掛止方向が主フック部１１とは逆向きとなる開口の広い副フック部１２と、主フック部１１の開口を閉止可能な脱落防止用の閉止体１３とから構成されていて、閉止体１３には、主フック部１１を把持した手指で開閉操作可能な操作レバー１６が一体形成されているとともに、前記副フック部１２が、主フック部１１に枢着するための枢支ピン１８の軸芯周りでの揺動操作により、横外方に突出する掛止姿勢とそれの先端が主フック部１１の背面に接当又は近接する格納姿勢とに揺動切替自在に構成され、かつ、第２吊下げ状態にある時、干し物接触抑制用の空隙Ｓを形成する当り部４の突出代に相当する分だけ物干し枠体Ａの外側面を通る鉛直線Ｗよりも外方である固定部側に位置するように構成されている。
【００２２】
吊下げフックＢの中央部には、吊下げ連結体Ｃに対する左右一対の係止部１５ａを備えた縦軸芯周りで相対回転自在な吊下げ回転リング１５が設けられて、吊下げ連結体ＣのＳ字型の第１連結リング２０と接続されているとともに、吊下げフックＢの下部には、主フック部の下端に連接されたグリップ部１４と、閉止体１３を閉じ側への弾性付勢力に抗して開き操作が可能な遠隔操作レバー１７と、グリップ部１４下端部に他の物干し器を上下方向に連結可能にするための連結用リング１９とが設けられている。
【００２３】
吊下げフックＢの位置を第２吊下げ状態に変更する時に連結長さが変更しない側に位置する吊下げ連結体Ｃは、第４連結杆２６と第５連結杆２７、吊下げ下げフックＢの係止部１５ａと第４連結杆２６を連結するＳ字型の第１連結リング２０、両連結杆２６，２７どうしを連結するＳ字型の第２連結リング２３、第５連結杆２７と物干し枠体Ａの係止リング５とを連結するＳ字型の第３連結リング２５とで構成されている。
【００２４】
吊下げフックＢの位置を第2 吊下げ状態に変更する時に連結長さが増大する側に位置する吊下げ連結体Ｃは、３本の連結杆２１，２２，２４と複数のＳ字型の連結リングから構成され、第1 連結杆２１と第2 連結杆２２は上下に重合配置されているとともに、複数のＳ字型の連結リングは、吊下げフックＢの係止部１５ａと重合方向の下方に位置する第１連結杆２１とを連結する第１連結リング２０と、重合方向の上方に位置する第２連結杆２２と第３連結杆２４とを連結する第２連結リング２３と、第３連結杆２４と物干し枠体Ａの係止リング５とを連結する第３連結リング２５となっている。
【００２５】
連結長さ変更手段Ｍは、同一形状に形成された第１連結杆２１と第２連結杆２２との嵌合連結位置を変更することより、図２、図３に示すように、単一杆を呈する状態に重合させた縮短姿勢と、図５、図６が示すように、端部のみが重合する伸長姿勢とに切換えるもので、詳しくは、図９に示すように、各連結杆２１，２２の重合面の一端部に、重合方向に突出する嵌合ピン２８ａを一体形成するとともに、各連結杆２１，２２の重合面の両端部には、縮短姿勢又は伸長姿勢にある状態で相手側の連結杆２２又は２１の嵌合ピン２８ａに対して脱着自在に嵌合する嵌合孔２８ｂ、２８ｃを形成して構成されている。
そして、縮短姿勢にする場合は、第１連結杆２１の嵌合ピン２８ａ第２連結杆２２の嵌合孔２８ｂに、かつ、第２連結杆２２の嵌合ピン２８ａを第１連結杆２１の嵌合孔２８ｂにそれぞれ嵌合させ、また、伸長姿勢にする場合は、第１連結杆２１の嵌合ピン２８ａを第２連結杆２２の嵌合孔２８ｃに嵌合させることにより、第１連結杆２１と第２連結杆２２との重合する割合を変え、連結長さを変更できるように構成されている。
【００２６】
当り部４は、物干し枠体Ａの外枠部２ａのうち、吊下げフックＢの第２吊下げ状態への偏位側となる一方の長辺側枠部分の複数個所（当該実施形態では二個所）に上下軸芯周りで内外方向に揺動操作可能に枢着された合成樹脂製の接当体から構成されているとともに、各接当体４は、上下軸芯周りの任意の位置で摩擦保持可能で、かつ、物干し枠体Ａの外側枠部の幅内に重合位置する格納姿勢に切換え操作自在に構成されている。
【００２７】
〔第２実施形態〕
図１０、１１は、吊下げフックＢが第２吊下げ状態にあるとき、壁面等の固定部下と物干し枠体Ａの外側面との間に干し物接触抑制用空隙Ｓを形成するための当り部４が、長さ変更可能な複数段（当該実施形態では２段）の接当体３０Ａ，３０Ｂから構成されている物干し器を示し、１段目の接当体３０Ａの一端部は、物干し枠体Ａの外枠部２ａに対して、枢着ピン４ａにより揺動ならびに任意の位置で摩擦保持可能自在に取付けられ、２段目の接当体３０Ｂは、１段目接当体の他端部に枢支ピン３０ａ及びこれに螺合される止めネジ３０ｂを介して相対揺動ならびに任意の位置で摩擦保持できるように構成されている。
従って、物干し枠体Ａの外枠部２ａに対する１段目接当体３０Ａの揺動操作と、１段目接当体３０Ａに対する２段目接当体３０Ｂの揺動操作とにより、物干し枠体の外側面からの接当体４の突出量を無段階的に変更することができる。
尚、その他の構成は、第１実施形態で説明した構成と同一であるから、同一の構成箇所には、第１実施形態と同一の番号を付記してそれの説明は省略する。
【００２８】
〔第３実施形態〕
図１２〜１４は、吊下げフックＢが第２吊下げ状態にあるとき、壁面等の固定部下と物干し枠体Ａの外側面との間に干し物接触抑制用空隙Ｓを形成するための当り部４の別実施形態を示し、物干し枠体Ａの外枠部２ａの複数箇所に、スライド調節用の長孔３１ａを杆長方向に沿って形成してある接当体３１が、縮径側に操作可能な一対の操作摘み部３２ａを備えた嵌合ピン３２を介して長孔３１ａの範囲内でスライド移動自在に取付けられているとともに、接当体３１の長孔３１内に位置する嵌合ピン３２の中間係合部３２ｂと選択的に係合することにより、物干し枠体Ａ外側面からの当り部４の突出代（突出量）を複数段に変更するための小突起状のストッパー３１ｂが一体形成されている。
そして、嵌合ピン３２の操作摘み部３２ａを縮径側に摘み操作すると、該嵌合ピン３２の中間係合部３２ｂがストッパー３１ｂを通過可能な寸法まで縮径されるため、この状態で接当体３１を長孔３１ａに沿って所望突出代に相当するストッパー３１ｂの位置までスライド操作する。次に、嵌合ピン３２の操作摘み部３２ａに加えられていた操作力を解除し、該嵌合ピンの中間係合部３２ｂの所望突出代に相当するストッパー３１ｂに係合保持させる。
尚、その他の構成は、第１実施形態で説明した構成と同一であるから、同一の構成箇所には、第１実施形態と同一の番号を付記してそれの説明は省略する。
【００２９】
〔その他の実施形態〕
（１）  上述の第１実施形態では、固定部Ｆと物干し枠体Ａの外側面との間に空隙Ｓを形成する当り部４が、２箇所に設けられた接当体から構成したが、この接当体を３箇所以上に配置しても良い。
（２）  上述の第１実施形態では、主フック部１１に開閉自在な閉止体１３を設けたが、主フック部１１としては、閉止体をもたない鈎型状に構成しても良い。
（３）  上述の第１実施形態では、副フック部１２が主フック部１１に枢着するための枢支ピン１８の軸芯周りで揺動可能に構成しているが、副フック部１１が、干し物接触抑制用空隙Ｓを形成する当り部４の突出代に相当する分だけ物干し枠体Ａの外側面を通る鉛直線Ｗよりも外方に位置するように構成されていれば、主フック部１１に固定した形に成形されても良い。
（４）  上述の第１実施形態では、物干し枠体Ａの構成を矩形状の二分割枠体２Ａ，２Ｂとしたが、長方形等の矩形以外の他の形態であっても、また、分割枠体でなくても良い。
（５）  上述の第１実施形態では、第１連結杆２１と第２連結杆２２との嵌合連結のための嵌合孔部２８ｂ、２８ｃを２箇所設けているが、連結長さを任意に変更できるように、嵌合孔部の数が３箇所以上あっても良い。
（６）  上述の第２実施形態では、干し物接触抑制用空隙Ｓを形成する当り部４が２段の接当体３０Ａ，３０Ｂで構成されているが、２段だけでなく、その他複数段の接当体で構成されても良い。
（７）  上述の第１〜第３実施形態では、干し物接触抑制用空隙Ｓを形成する当り部４が、物干し枠体Ａの内方に格納できるように構成されているが、取外し可能に構成されていてもよい。
【図面の簡単な説明】
【図１】  本発明の第１実施形態の物干し器を示す全体の正面図
【図２】  全体の側面図
【図３】  全体の平面図
【図４】  全体の底面図
【図５】  吊下げフックが第２吊下げ状態にある時の平面図
【図６】吊下げフックが第２吊下げ状態にある時の側面図
【図７】物干し枠体が９０度に曲折した状態にある側面図
【図８】ピンチの格納状態を示す要部の断面図
【図９】連結長さ変更手段を構成する両連結杆の分解斜視図
【図１０】本願発明の物干し器の第２実施形態で、吊下げフックが第２吊下げ状態にある時の側面図
【図１１】第２実施形態における干し物接触抑制用空隙を形成する当り部の拡大図
【図１２】本願発明の物干し器の第３実施形態の当り部と物干し枠体との連接箇所を示す拡大図
【図１３】第３実施形態における干し物接触抑制用空隙を形成する当り部の拡大図
【図１４】第３実施形態における当り部の移動手段を示す拡大図
【符号の説明】
Ａ      物干し枠体
Ｂ      吊下げフック
Ｃ      吊下げ連結体
Ｆ      固定部
Ｍ      吊下げ長さ変更手段
Ｓ      干し物接触抑制用空隙
Ｗ      鉛直線
２ａ    物干し枠体外枠部
４      空隙形成手段（当り部）
５      被吊下げ部（係止リング）
１１    主フック部
１２    副フック部
２１    第１連結杆
２２    第２連結杆
２８    嵌合部
【図１】
0004567923.tif 000002
【図２】
0004567923.tif 000003
【図３】
0004567923.tif 000004
【図４】
0004567923.tif 000005
【図５】
0004567923.tif 000006
【図６】
0004567923.tif 000007
【図７】
0004567923.tif 000008
【図８】
0004567923.tif 000009
【図９】
0004567923.tif 000010
【図１０】
0004567923.tif 000011
【図１１】
0004567923.tif 000012
【図１２】
0004567923.tif 000013
【図１３】
0004567923.tif 000014
【図１４】
0004567923.tif 000015